【手続補正書】
【提出日】平成23年8月22日(2011.8.22)
【手続補正１】
【補正対象書類名】特許請求の範囲
【補正対象項目名】全文
【補正方法】変更
【補正の内容】
【特許請求の範囲】
【請求項１】
コンピュータにより実行される方法であって、
ネットワークに位置するコンテンツのインデックスを発生するステップであって、前記インデックスが、ワイヤレス・デバイスから受けた前検索要求の検索語に相関するコンテンツを含む、ステップと、
前記ネットワークに接続された前記ワイヤレス・デバイスからの検索要求を受けるステップであって、前記検索要求が少なくとも１つの追加の検索語を含む、ステップと、
前記検索要求を、前記ワイヤレス・デバイスから受けた前記前検索要求と組み合わせるステップであって、前記検索要求が、前記前検索要求のうちの少なくとも１つとは異なった主題を含む、ステップと、
ユーザ・デバイスから新たなコンテンツを受けるステップであって、前記新たなコンテンツが、前記ユーザ・デバイスにおいて、前記ワイヤレス・デバイスから受けた前記追加の検索語に対応する記述的メタデータにより分類されている、ステップと、
前記検索要求と前記前検索要求の組み合わせに基づいて前記コンテンツのインデックス部分集合を生成するステップであって、前記インデックス部分集合が、前記ユーザ・デバイスから受けた前記新たなコンテンツと、前記検索要求の前記組み合わせにおいて使用されたのと同じ主題の頻度の増加に基づいて前記インデックス部分集合における増加した類似のコンテンツの量とを含む、ステップと、
前記コンテンツの前記インデックス部分集合を、該インデックス部分集合を検索処理のためにローカルで利用するように構成された前記ワイヤレス・デバイスに送信するステップと、
を含む、コンピュータにより実行される方法。
【請求項２】
請求項１記載の方法において、前記コンテンツは、ウェブ・ページを含む、方法。
【請求項３】
請求項１または２に記載の方法において、前記コンテンツは、他のワイヤレス・デバイスのユーザによって提供される共有コンテンツを含む、方法。
【請求項４】
請求項１から３のいずれかに記載の方法において、前記コンテンツは、ダウンロード可能コンテンツを含む、方法。
【請求項５】
請求項１から４のいずれかに記載の方法において、インデックスを発生するステップは、複数のトークンを含む逆インデックスを発生するステップを含み、各トークンには１つ以上のページが関連付けられた、方法。
【請求項６】
請求項１から５のいずれかに記載の方法において、前記ネットワークは、インターネット、および１つ以上の私的ネットワークを含む、方法。
【請求項７】
請求項１から６のいずれかに記載の方法において、前記コンテンツの前記インデックス部分集合は、要求されたコンテンツを含み、該要求されたコンテンツは、指定された日数の時間期間にわたって複数のユーザにより検索されたものである、方法。
【請求項８】
システムであって、
インデックス・ロジックを実施するように構成された少なくともメモリとプロセッサであって、前記インデックス・ロジックが、
ネットワークに位置するコンテンツのインデックスを発生し、前記インデックスが、ワイヤレス・デバイスから受けた前検索要求の検索語に相関するコンテンツを含み、
前記ネットワークに接続された前記ワイヤレス・デバイスから送信された検索要求を受け、前記検索要求が少なくとも１つの追加の検索語を含み、
前記検索要求を、前記ワイヤレス・デバイスから受けた前記前検索要求と組み合わせ、前記検索要求が、前記前検索要求のうちの少なくとも１つとは異なった主題を含み、
ユーザ・デバイスから新たなコンテンツを受け、前記新たなコンテンツが、前記ユーザ・デバイスにおいて、前記ワイヤレス・デバイスから受けた前記追加の検索語に対応する記述的メタデータにより分類されており、
前記検索要求と前記前検索要求のうちの少なくとも１つとの組み合わせから前記コンテンツのインデックス断片を生成し、前記インデックス断片が、前記ユーザ・デバイスから受けた前記新たなコンテンツと、前記検索要求の前記組み合わせにおいて使用されたのと同じ主題の頻度の増加に基づいて前記インデックス断片における増加した類似のコンテンツの量とを含む、
ように構成された、少なくともメモリとプロセッサと、
前記コンテンツの前記インデックス断片を、該インデックス断片を検索処理のためにローカルで利用するように構成された前記ワイヤレス・デバイスに送信するように構成されてたサービスと、
を含む、システム。
【請求項９】
請求項８記載のシステムにおいて、前記コンテンツは、ウェブ・ページを含む、システム。
【請求項１０】
請求項８または９に記載のシステムにおいて、前記コンテンツは、他のワイヤレス・デバイスのユーザによって提供される共有コンテンツを含む、システム。
【請求項１１】
請求項８から１０のいずれかに記載のシステムにおいて、前記コンテンツは、ダウンロード可能コンテンツを含む、システム。
【請求項１２】
請求項８から１１のいずれかに記載のシステムにおいて、インデックスを発生するステップは、複数のトークンを含む逆インデックスを発生するステップを含み、各トークンには１つ以上のページが関連付けられた、システム。
【請求項１３】
請求項８から１２のいずれかに記載のシステムにおいて、前記ネットワークは、インターネットおよび１つ以上の私的ネットワークを含む、システム。
【請求項１４】
請求項８から１３のいずれかに記載のシステムにおいて、前記コンテンツの前記インデックス断片は、要求されたコンテンツを含み、該要求されたコンテンツは、指定された日数の時間期間にわたって複数のユーザにより検索されたものである、システム。
【請求項１５】
プログラム・コードが格納されたコンピュータ読み取り可能記憶媒体であって、前記プログラム・コードがコンピュータによって実行されると、該コンピュータに、
ネットワークに位置するコンテンツのインデックスを自動的に発生し、前記インデックスが、ワイヤレス・デバイスから受けた前検索要求の検索語に相関するコンテンツを含み、
前記ネットワークに接続された前記ワイヤレス・デバイスから検索要求を受け、前記検索要求が少なくとも１つの追加の検索語を含み、
前記検索要求を、前記ワイヤレス・デバイスから受けた前記前検索要求と組み合わせ、前記検索要求が、前記前検索要求のうちの少なくとも１つとは異なった主題を含み、
ユーザ・デバイスから新たなコンテンツを受け、前記新たなコンテンツが、前記ユーザ・デバイスにおいて、前記ワイヤレス・デバイスから受けた前記追加の検索語に対応する記述的メタデータにより分類され、
前記検索要求と前記前検索要求のうちの少なくとも１つとの組み合わせに基づいて前記コンテンツのインデックス部分集合を生成するステップであって、前記インデックス部分集合が、前記ユーザ・デバイスから受けた前記新たなコンテンツと、前記検索要求の前記組み合わせにおいて使用されたのと同じ主題の頻度の増加に基づいて前記インデックス部分集合における増加した類似のコンテンツの量とを含み、
前記コンテンツの前記インデックス部分集合を、該インデックス部分集合を検索処理のためにローカルで利用するように構成された前記ワイヤレス・デバイスに送信する、
ようにさせる、コンピュータ読み取り可能記憶媒体。
【請求項１６】
請求項１５記載のコンピュータ読み取り可能記憶媒体において、前記コンテンツは、ウェブ・ページを含む、コンピュータ読み取り可能記憶媒体。
【請求項１７】
請求項１５または１６に記載のコンピュータ読み取り可能記憶媒体において、前記コンテンツは、他のワイヤレス・デバイスのユーザによって提供される共有コンテンツを含む、コンピュータ読み取り可能記憶媒体。
【請求項１８】
請求項１５から１７のいずれかに記載のコンピュータ読み取り可能記憶媒体において、前記コンテンツは、ダウンロード可能コンテンツを含む、コンピュータ読み取り可能記憶媒体。
【請求項１９】
請求項１５から１８のいずれかに記載のコンピュータ読み取り可能記憶媒体において、インデックスを発生する動作は、複数のトークンを含む逆インデックスを発生する動作を含み、各トークンには１つ以上のページが関連付けられた、コンピュータ読み取り可能記憶媒体。
【請求項２０】
請求項１５から１９のいずれかに記載のコンピュータ読み取り可能記憶媒体において、前記ネットワークは、インターネット、および１つ以上の私的ネットワークを含む、コンピュータ読み取り可能記憶媒体。
【請求項２１】
請求項１５から２０のいずれかに記載のコンピュータ読み取り可能記憶媒体において、前記コンテンツの前記インデックス部分集合は、要求されたコンテンツを含み、該要求されたコンテンツは、指定された日数の時間期間にわたって複数のユーザにより検索されたものである、コンピュータ読み取り可能記憶媒体。